(57)【特許請求の範囲】
【請求項１】
ゆったりサイズのジャージー製タートルネック部を丸首の保温着本体に縫合した保温着において、前記ジャージー製タートルネック部は、高い伸縮方向を縦に且つ二重にしたジャージー生地で形成されたジャージー製漏斗状体であること、及び、前記ジャージー製漏斗状体はその長さが利用者の肩から耳付近まで、その最大筒周りが利用者の頭周りより１割から２割程度大きく且つその最小筒周りが利用者の頭周りと同程度のサイズのものであることを特徴とする保温着。
【請求項２】
前記ジャージー製漏斗状体の上端部に一対の耳掛け穴が形成されていることを特徴とする請求項１に記載の保温着。
【請求項３】
前記ジャージー製漏斗状体は、高い伸縮方向を縦に且つ二重にしたジャージー生地の前側衿部材と後側衿部材の少なくとも２つの布部材を縫合して形成されたものであることを特徴とする請求項１に記載の保温着。
【請求項４】
前記前側衿部材と後側衿部材のいずれか一方の布部材には一対の耳掛け穴が形成されていることを特徴とする請求項３に記載の保温着。
【請求項５】
前記耳掛け穴は、横長の楕円形であることを特徴とする請求項２又は４に記載の保温着。
【請求項６】
前記耳掛け穴には周縁に緩衝部が形成されていることを特徴とする請求項２、４又は５のいずれかに記載の保温着。
【請求項７】
ジャージー生地は綿ジャージー生地であることを特徴とする請求項１又は３に記載の保温着。
【請求項８】
前記保温着は綿ジャージー製であることを特徴とする請求項１に記載の保温着。
【発明の詳細な説明】
【技術分野】
【０００１】
本発明は、首を快適に保温できる保温着であって、主に就寝時の着用に適した保温着に関する。
【背景技術】
【０００２】
就寝時に鼻や喉の乾燥を防止することが風邪予防に効果があること、そのためには就寝時に首を適度に保温することが効果的であることは周知の事実である。首の保温のためのネックウォーマーは、ウール、フリース、綿などの様々な生地のものが市販されている。この市販のネックウォーマーは、筒回りが利用者の首周りと同程度又は１割程度小さい略円筒状体からなり、使用時には生地の高い伸縮性によって前記略円筒状体を利用者の首に密着させ、これによってネックウォーマーは着用位置に保持される。しかしながら、この市販のネックウォーマーは、首への圧迫感があること、及び保温効果が高過ぎることの理由で就寝時用保温具には適さないものである。実用新案登録第３１０５９７８号公報（特許文献１）、実用新案登録第３１０５２７１号公報（特許文献２）、実用新案登録第３０９９４６０号公報（特許文献３）に開示されているネックウォーマーも、同様の理由から、就寝時用保温具としては利用されていないようである。
【０００３】
市販のウールのニットのタートルネックセーターや綿１００％リブ編タートルネックセーターや綿ジャージー製のタートルネックインナーウエアは、筒回りが利用者の首周りと同程度で且つ長さが首の２倍程度のタートルネック部を供えたものである。そして、前記タートルネック部は、使用時には、生地の高い伸縮性によって利用者の首に密着し、その位置に保持されるものである。これらのタートルネックセーターやタートルネックインナーウエアは、寒い時期の保温着としては快適であるが、就寝時に着用されることは通常はありえない。首への圧迫感があるからである。
【０００４】
それでも綿ジャージー製のタートルネックインナーウエアを就寝時に着用する人々もいるが、彼らが風邪にかかり難くなったとは考えられない。その綿ジャージー製タートルネック部は、首の上部をカバーすることができないために、風邪予防に効果があるとされる首全体の快適な保温が出来ないからである。
【０００５】
フリース製タートルネック部を丸首のフリース製パジャマ本体に縫合したタートルネックパジャマも市販されている。前記フリース製タートルネック部は、その筒周りは利用者の頭周りと同程度の大きなタートルネック部、言わば、ゆったりサイズのタートルネック部である。このため、前記フリース製タートルネック部は、使用時には、生地の高い伸縮性によって利用者の首に密着し、その位置に保持されることが不可能である。それでも使用時に前記フリース製タートルネック部が、利用者の首の回りに保持されるのは、その長さが利用者の首の半分程度と短いこと、及び比較的厚手のフリース生地を二重にして形成されて腰折れし難い構造であるからである。ところで、前記フリース製タートルネック部は、比較的厚手のフリース生地を二重にしてあるが、伸縮方向を横にして形成されているので、頭周り程度の筒周りは着脱時には３〜４割程度も拡大する。従って、この従来のタートルネックパジャマは、着脱容易で、着用時に圧迫感がない。
【０００６】
しかしながら、この従来のタートルネックパジャマは、首を快適に保温することが出来ない。何故なら、この従来のタートルネックパジャマを着用すると、首をぐるりと囲む略円筒状隙間、それも片端開口の略円筒状隙間が、前記フリース製タートルネック部と利用者の首の間に形成されるからである。即ち、前記片側開口の略円筒状隙間は、間隔は最大が３０ｍｍ〜４０ｍｍ程度もあって、利用者の肩側は閉じているが顎側は外に開いているものである。このため、この従来のタートルネックパジャマを着用して就寝すると、冷えた外気が利用者の顎下付近から前記略円筒状隙間に入り込んで、前記フリース製タートルネック部の保温効果を低下させ、風邪予防効果を発揮し難くしているのである。
【特許文献１】実用新案登録第３１０５９７８号公報
【特許文献２】実用新案登録第３１０５２７１号公報
【特許文献３】実用新案登録第３０９９４６０号公報
【発明の開示】
【発明が解決しようとする課題】
【０００７】
本発明が解決しようとする第１の課題は、ゆったりサイズのジャージー製タートルネック部を丸首の保温着本体に縫合した保温着において、就寝時に利用者の首を快適に保温する保温着を提供することである。なお、本明細書で、ゆったりサイズのタートルネック部とは、筒周りが利用者の頭周よりも小さくないタートルネック部をいう。
【０００８】
本発明が解決しようとする第２の課題は、ゆったりサイズのジャージー製タートルネック部を丸首の保温着本体に縫合した保温着において、前記ジャージー製タートルネック部を就寝中に所定着用位置に確実に保持することである。なお、本明細書において、前記ジャージー製タートルネック部の所定着用位置とは、前記ジャージー製タートルネック部が利用者の少なくとも顎と首を同時にカバーする着用位置をいう。
【課題を解決するための手段】
【０００９】
上述の課題を解決する第１の保温着は、利用者の肩から耳付近までの長さで筒周りがゆったりサイズのジャージー製タートルネック部を丸首の保温着本体に縫合した保温着であって、前記ジャージー製タートルネック部を高い伸縮方向を縦に且つ二重にしたジャージー生地で形成したジャージー製漏斗状体としたことを特徴とするものである。
【００１０】
上述の課題を解決する第２の保温着は、利用者の肩から耳付近までの長さで筒周りがゆったりサイズのジャージー製タートルネック部を丸首の保温着本体に縫合した保温着であって、前記ジャージー製タートルネック部を高い伸縮方向を縦に且つ二重にしたジャージー生地で形成したジャージー製漏斗状体としたこと、及び前記ジャージー製漏斗状体の上端部に一対の耳掛け穴を形成したことを特徴とするものである。
【発明の効果】
【００１１】
本発明により、利用者の肩から耳付近までの長さで筒周りがゆったりサイズのジャージー製タートルネック部を有する保温着であって、着脱容易で、圧迫感のない快適な着用感が得られ、且つ、就寝時に利用者の首を快適に保温する保温着が提供された。
【００１２】
また、本発明に係る保温着は風邪予防効果、睡眠改善効果、保湿効果を奏することが認められた。
【発明を実施するための最良の形態】
【００１３】
本発明の保温着は、利用者の肩から耳付近までの長さで、その最大筒周りが利用者の頭周りより１割から２割程度大きく且つその最小筒周りが利用者の頭周りと同程度か１割程度小さいサイズのジャージー製漏斗状体を綿ジャージーの丸首の保温着本体に縫合したものであって、前記ジャージー製漏斗状体を高い伸縮方向を縦に且つ二重にした綿ジャージー生地で形成したこと、及び前記漏斗状体の上端部に一対の耳掛け穴を形成したことを特徴とするものである。
【実施例１】
【００１４】
本発明の実施例１の保温着は、図１と図２に示す如く、ゆったりサイズのジャージー製タートルネック部を丸首の綿ジャージー保温着本体１０に縫合した保温着１において、前記ジャージー製タートルネック部を、高い伸縮方向を縦に且つ二重にしたジャージー生地で形成されたジャージー製漏斗状体２０としたものである。そして、ジャージー製漏斗状体２０はその長さが利用者の肩から耳付近まで、その最大筒周りが利用者の頭周りより１割から２割程度大きく且つその最小筒周りが利用者の頭周りと同程度のサイズのものであり、高い伸縮方向を縦に且つ二重にした綿ジャージー生地で形成されている。更に、ジャージー製筒状体２０の上端部には一対の耳掛け穴２３，２３をそれぞれ設けている。
【００１５】
高い伸縮方向を縦に且つ二重にした綿ジャージー生地で形成されたジャージー製漏斗状体２０は、着脱や洗濯を繰り返しても、その筒回りが拡大し難く、従って、綿ジャージー製漏斗状体の最初の形状を概ね保持し続けることができる。
【００１６】
ジャージー製漏斗状体２０は、前側衿部材２１と後側衿部材２２の対応する左右の側端部は縫い代を重ね合わせて縫合し、更に、前記前側衿部材２１の上端部と後側衿部材２２の上端部は縫い代１０ｍｍ程度を折り返して縫合して製作されている。
【００１７】
前側衿部材２１と後側衿部材２２の左右の縫い代を重ねて縫い合わせした部分、即ち衿部材縫合部２０ｂ，２０ｂは、綿ジャージー生地が四重になっている。また、ジャージー製漏斗状体２０の上側開口端部２０ａも綿ジャージー生地が四重になっている。
【００１８】
実施例１において、一対の耳掛け穴２３，２３は、前側衿部材２１の左右の上端部にそれぞれ設けられているが、これは前側衿部材２１を後側衿部材２２の２倍程度大きくしためである。逆に、後側衿部材２２を前側衿部材２１の２倍程度大きくした場合には、一対の耳掛け穴２３，２３は後側衿部材２２の左右の上端部にそれぞれ設けられる。或いは、前側衿部材２１は後側衿部材２２より２割程度大きくした場合には、一対の耳掛け穴２３，２３は衿部材縫合部２０ｂ，２０ｂの上部に設けられる。
【００１９】
実施例１において、一対の耳掛け穴２３，２３は、横長の楕円形耳掛け穴である。耳掛け穴２３，２３の周縁には、緩衝部２３ａが形成されている。緩衝部２３ａは、耳掛け穴２３の周縁に、ゴム紐のようなクッション材を取り付けて形成されている。ジャージー製漏斗状体２０は高い伸縮方向を縦に且つ二重にした綿ジャージー生地で形成されているので、着脱や洗濯を繰り返しても、布製漏斗状体の最初からの形状を概ね保持し続けることができ、従って一対の耳掛け穴２３，２３の相対位置が変わることがない。なお、一対の耳掛け穴２３，２３は円形や横長の長方形でもよい。
【００２０】
ジャージー製漏斗状体２０は、その長さが利用者の肩から耳付近までの長さ、例えば２２ｃｍである。また、ジャージー製漏斗状体２０は、その最大筒周りが利用者の頭周りより１割から２割程度大きいサイズ、例えば７０ｃｍである。更に、その最小筒周りは利用者の頭周りと同程度のサイズ、例えば５８ｃｍである。ジャージー製漏斗状体２０は、その上側開口端部２０ａが最大の筒周りであって、下側開口端部２０ｃに向かって徐々に筒周りが小さくなる漏斗状体である。但し、完全な漏斗形ではなく、上半分ぐらいは略漏斗形、下半分は略円筒形である。更に、下半分の略円筒形は上半分が略円筒形で下半分は略逆漏斗形体である。従って、ジャージー製漏斗状体２０の最小筒周りは上記略円筒形の部分、即ち、着用時に利用者の首をカバーする部分の筒周りである。要するに、ジャージー製漏斗状体２０は、市販のタートルネックセーターのタートルネック部とは比較にならない程の大きなタートルネック部である。
【００２１】
ジャージー製漏斗状体２０の上方への位置ずれを防止する丸首の保温着本体１０は、高い伸縮方向を横に且つ一重にした綿ジャージー生地で形成され、保温着本体部１１、衿ぐり１２、及び腕の付け根付近まで延伸した肩カバー部１４，１４を備え、下端部１５が利用者２の臀部付近までの長さの丸首の綿ジャージーの着衣である。下端部１５は、綿ジャージー生地が１０ｍｍ程度の縫い代を折り返されて、且つ縫合されている。
【００２２】
上述の如く製作されたジャージー製漏斗状体２０の下端開口端２０ｃを保温着本体１０の衿ぐり１２に縫い付ければ、実施例１の保温着が完成する。従って、保温着は構成及び製作工程は簡単であり、低コストで製作できる。なお、実施例１において、ジャージー製漏斗状体２０は純綿ジャージー生地を用いて製作されているが、混綿ジャージー生地でもよい。また、縦方向と横方向の伸縮率が綿ジャージー生地と同等の合繊ジャージー生地やシルクジャージー生地を用いることも可能である。
【００２３】
以下、実施例１の保温着の特徴的作用効果等について説明する。
【００２４】
（保温着の着脱）
保温着は、図５に示す如く、通常はパジャマの上に重ねて着用するものである。ところで、ジャージー製漏斗状体２０は、高い伸縮方向を縦に且つ二重にした綿ジャージー生地で形成されているので、横方向には殆ど伸びず、その筒回りは着脱時にも殆ど拡大することはない。それでも、就寝時用保温着の着脱は極めて簡単である。利用者２は保温着を頭から被り、ジャージー製漏斗状体２０から顔の上半分が露出したら、一対の耳掛け穴２３，２３に両耳を引っ掛けるだけで、就寝時用保温着の着用が完了する。そして、着用が完了すると同時に、ジャージー製漏斗状体２０は、初期所定着用位置に保持される。また、着用した就寝時用保温着を外すことも簡単である。即ち、利用者２は被りタイプの保温着０を脱ぐだけでよい。
【００２５】
（綿ジャージー製漏斗状体の所定着用位置への保持）
実施例１の保温着を着用し、ベッドに仰向けに寝ているときの利用者を真横から見る  と、図５の斜視図の如く、ジャージー製漏斗状体２０の前側部分の上端縁は利用者２の目よりも下にある。即ち、保温着は、利用者２の目を塞ぐことはないのである。これは、ジャージー製漏斗状体２０の一対の耳掛け穴２３，２３は利用者２の両耳３，３に掛けられているが、ジャージー製漏斗状体２０の前側の上半分は利用者２の顎に引っ張られているからである。言わば、ジャージー製漏斗状体２０の前側の上半分は、利用者の両耳と顎の三点で支持されているのである。寝入りばなには、図５に示す如く、ジャージー製漏斗状体２０は利用者の顎と首を同時にカバーしているだけでなく、両頬、口、及び鼻まで切れ目無く同時にカバーしている。以下、必要に応じて、この着用位置を初期所定着用位置という。なお、ジャージー製漏斗状体２０の一対の耳掛け穴２３，２３は利用者２の両耳３，３に掛けられている状態で、ジャージー製漏斗状体２０の前側を首側に引っ張ると、鼻だけ、或いは鼻と口を簡単に露出させることもできる。
【００２６】
ところで、ジャージー製漏斗状体２０の一対の耳掛け穴２３，２３を両耳に掛けて就寝しても、就寝中に一対の耳掛け穴２３，２３が耳から外れることもある。場合によっては、利用者が意識的に外すこともある。就寝中に一対の耳掛け穴２３，２３が耳から外れたり、外されたりした場合は、実施例１の保温着は実施例２の保温着と機能的には同じになる。
【００２７】
即ち、耳掛け穴が外れている場合は、ジャージー製漏斗状体２０の前側部分は両耳と顎の三点での支持ができないので、実施例２の図６の斜視図と同様に、ジャージー製漏斗状体２０は利用者２の口と両頬と首の全部を包むようにカバーする。これは、ジャージー製漏斗状体２０がゆったりした筒回りサイズであるため、その前側部分の中央部分が自重で利用者に覆い被さってくるからである。
【００２８】
耳掛け穴が外れている場合に利用者が寝返りなどで動いても、ジャージー製漏斗状体２０が所定着用位置から外れることはない。ジャージー製漏斗状体２０の後側部分は、利用者が仰向けに寝ている場合には利用者の後頭部で、利用者が横向きに寝ている場合には利用者の側頭部でそれぞれ枕６に押さえつけられているからである。一方、ジャージー製漏斗状体２０の前側部分は部分的に弛むが、その前側の上端部は利用者の口と顎の間辺りの位置までしか移動しないからである。
【００２９】
即ち、耳掛け穴が外れている場合に利用者が寝返りなどで動くと、その下側開口端部２０ｃが保温着本体１０の衿ぐり部１２が縫い付けられているジャージー製漏斗状体２０の前側部分は利用者の肩側方向に移動するが、最大限弛んでもその前側の上端部は利用者の口と顎の間辺りの位置までしか移動しない。ジャージー製漏斗状体２０の下半分は最小筒周りの筒状部であるが、その筒周りは利用者の頭周りと同程度のサイズ、例えば５８ｃｍである。これに対して、カバーされる利用者の首周りは、例えば３５ｃｍである。この筒周りと首周りの間には２３ｃｍの大きな差が存在するために、耳掛け穴が外れている状態で利用者がベッドに仰向けに寝ると、ジャージー製漏斗状体２０の前側の下半分は利用者の首の上で二つ乃至四つ程度の大きな皺を形成する。他方、ジャージー製漏斗状体２０の上半分は最大筒周りと最小筒周りの間の筒周りサイズであり、その前側は利用者の顔に柔らかく当接し、当接箇所で皺になったり弛んだりすることはない。これが、ジャージー製漏斗状体２０は、最大限弛んでも、その前側の上端部は利用者の口と顎の間辺りの位置までしか移動しない理由である。もう一つの理由は、ゆったりサイズのジャージー製漏斗状体２０が弛み難いものであるからである。
【００３０】
ゆったりサイズのジャージー製漏斗状体２０が弛み難いのは、基本的には、ジャージー製漏斗状体２０を綿ジャージー生地の高い伸縮方向を縦にし、且つ二重にして製作したことである。上側開口端部２０ａを最大筒回りとし、首側方向に徐々に筒周りを小さくした漏斗状体としたことも、ゆったりサイズのジャージー製漏斗状体２０を弛み難くしていると考えられる。更に、前側衿部材２１と後側衿部材２２の左右の端部を重ねて縫い合わせした部分、即ち衿部材縫合部２０ｂ，２０ｂはジャージー製漏斗状体２０の縦方向の芯として機能し、ジャージー製漏斗状体２０が更に弛み難くしていると考えられる。ジャージー製漏斗状体２０の衿部材縫合部２０ｂ，２０ｂは、綿ジャージー生地が四重になった厚い縦長の縫い目であり、保温着の着用時に利用者の両耳の後辺りに位置するからである。
【００３１】
上述の如く、実施例１の保温着のジャージー製漏斗状体２０は、就寝中に弛んでも、ジャージー製漏斗状体２０の前側の上端部が利用者の口と顎の間辺りまでしか移動しない。即ち、最大限弛んだ状態でも、ジャージー製漏斗状体２０はその前側部分が利用者の首と顎を切れ目無く同時にカバーしている。従って、実施例１の保温着においては、ジャージー製漏斗状体２０は最大限弛んでも所定着用位置に確実に保持される。
【００３２】
（保温着の保温機能）
実施例１の保温着の快適な保温機能は、主に、ジャージー製漏斗状体２０と利用者の首の間に形成され、首をぐるりと囲み、且つ利用者の肩側端部も顎側端部も閉じた筒状閉鎖隙間によって達成されている。前記筒状閉鎖隙間は、長さは利用者の首の長さと同じで、間隔は様々であるが最大は２０ｍｍ程度である。そして、この筒状閉鎖隙間に閉じ込められた空気が、利用者の首全体を包み、冷えた外気が利用者の首に直接伝わらないように機能すると共に、利用者の体温に近い温度を保持する。換言すれば、実施例１の保温着の快適な保温機能は、主に、ジャージー製漏斗状体２０と利用者の首の間に形成された筒状空気層によって達成されているのである。
【００３３】
また、実施例１の保温着の快適な保温機能は、前記ジャージー製漏斗状体２０が利用者の首をぐるりと囲む前記筒状空気層を形成すると共に、残りの部分が利用者の両頬と顎を圧迫感なくカバーしていることによって更に効果的に達成されている。
【００３４】
上述の如き快適な保温機能を有するので、保温着を着用した場合は、冷えた外気は首から襲ってこないし、首から水分が逃げることもない。このことから、保温着のジャージー製漏斗状体２０は、全身の快適な保温効果と共に、両頬並びに首の適度の保湿効果を奏することに貢献していると考えられる。また、保温着０が保温用肩カバーと保温用腹巻として機能しているから、肩や背中から冷えた外気が襲ってくることがない。
【００３５】
また、実施例１の保温着を着用した場合、そのジャージー製漏斗状体２０は一対の耳掛け穴２３，２３が両耳３，３に掛けられているので、首と顎を隙間無くカバーするネックウォーマーとして機能すると共に、鼻、口及び両頬をカバーするフェイスマスクとして機能する。このため、図５から理解されるように、自分の温かい湿った呼気がジャージー製漏斗状体２０の中に入り込むことになる。これらの作用により、女性の試着者には首、顎、両頬が適度に保湿される効果が認められた。
【００３６】
（保温着の着用感）
実施例１の保温着は体のどの部位にも圧迫感を与えない形状とサイズであるので、利用者２に快適な着用感を与えるものである。即ち、ジャージー製漏斗状体２０の一対の耳掛け穴２３，２３が両耳３，３に掛けられている状態で利用者がベッドや布団に寝ているときには、ジャージー製漏斗状体２０の前側の上半分は両耳と顎の三点で支持されているが、これは生地の伸縮性を利用したものではないので、利用者の顔を圧迫することはない。また、ジャージー製漏斗状体２０の前側の下半分は自重によって首にふんわりと覆い被さるから、利用者の首を圧迫することはない。ジャージー製漏斗状体２０の一対の耳掛け穴２３，２３が両耳３，３から外れた状態で利用者がベッドや布団に寝ているときには、ジャージー製漏斗状体２０の前側部分は自重によって顔と首にふんわりと覆い被さるから、利用者の顔と首を圧迫することはない。このため、試着者の殆どが、やや厚手の柔らかい布でふんわり包まれたような暖かさ、安堵感を感じている。しかしながら、暑苦しさを訴える人がいることも予想された。事実、表１に示す如く、風邪予防効果を確認するための保温着の着用テストの際にも、暑がり屋の２人が暑苦しさを訴えた。
【００３７】
（風邪予防効果）
保温着１の風邪予防効果を確認するための保温着の着用テストの結果は、表１に示す如く、テスト結果が得られた試着者１８人中の７人が風邪予防について非常に効果があると答えた。彼らは、喉に炎症ができ易かったり、鼻風邪をひき易かったりで、何らかの風邪予防対策を講じている人達であった。その中に数人が、この冬は耳鼻咽喉科や内科に行かなかったと喜んでいた。また、試着者１８人中の１１人は、滅多に風邪をひかない人が大部分であったが、彼らも保温着の風邪予防効果の可能性を認めた。これ程の顕著な風邪予防効果が得られる理由は、試着者の医師によれば、ジャージー製漏斗状体２０が多数のリンパ節が集中している首と顎を快適に保温するので、これが免疫力を高めている可能性があるとのことであった。なお、テスト結果が得られなかった２人は、試着したら暑苦しくなったので、着用テストに参加しなかった人達である。なお、着用テスト期間は試着者により異なるが、３ケ月から６ケ月の間であった。
【００３８】
【表１】
0004187784.tif 000002
【００３９】
（睡眠改善効果）
ところで、風邪予防効果を確認するための保温着の着用テストから、予想もしなかった睡眠改善効果が認められた。即ち、表１に示す通り、よく眠れる試着者７人を除く１１人から、「よく眠れるようになった。」との報告があった。しかも、前記１１人中８人からは「寝付きが非常によくなった。」、「熟睡できるようになった。」、「朝の寝覚めがよくなった。」、「夜中にトイレに起きる回数が減った。」、「靴下を履かなくても足が自然に温まるようになった。」などと、驚きと喜びの感想が寄せられた。睡眠導入剤を常時服用していた３人は服用する頻度が激減し、睡眠導入剤を時々服用していた２人は服用しなくなった。実施例１の保温着が睡眠改善効果を奏する医学的な理由は、自らも安眠できるようになったことを実感した試着者の医師にも分からないとのことであった。
【００４０】
（鼻呼吸促進機能）
実施例１の保温着を着用すると、ジャージー製漏斗状体２０の上半分は鼻と口と両頬を被う大きなフェイスマスク、或いは口と両頬を被う大きなフェイスマスクとして機能している。そして、前記フェイスマスクは両耳と顎の３点で安定的に支持されている。このために、ジャージー製漏斗状体２０の上半分の前側部分は利用者２の下顎を持ち上げるように作用する。実際に利用してみれば分かるが、下顎を持ち上げる力は小さいのに口を開けることは難しく、自然に口を閉じることになる。従って、利用者２は就寝中に、健康に良いと言われている鼻呼吸を自然に行うようになる。
【実施例２】
【００４１】
本発明の実施例２の保温着は、図３と図４に示す如く、ゆったりサイズのジャージー製タートルネック部を丸首の綿ジャージー保温着本体１０に縫合した保温着１において、前記ジャージー製タートルネック部を、高い伸縮方向を縦に且つ二重にしたジャージー生地で形成されたジャージー製漏斗状体２０としたものである。そして、ジャージー製漏斗状体２０はその長さが利用者の肩から耳付近まで、その最大筒周りが利用者の頭周りより１割から２割程度大きく且つその最小筒周りが利用者の頭周りと同程度のサイズのものであり、高い伸縮方向を縦に且つ二重にした綿ジャージー生地で形成されている。従って、実施例２の保温着の構造、形状、サイズは、実施例１の保温着と基本的には同じであるから、その詳細な説明は省略する。  
【００４２】
以下、実施例２の保温着の特徴的作用効果等について説明する。
【００４３】
（保温着の着脱）
実施例２の保温着は、実施例１の保温着と同様に、その着脱は極めて簡単である。
【００４４】
（綿ジャージー製漏斗状体の所定着用位置への保持）
実施例２の保温着を着用し、ベッドに仰向けに寝ているときの利用者を真横から見た図６の斜視図に示す如く、ジャージー製漏斗状体２０は利用者２の顔の略下半分と首の全部を包むようにカバーする。実施例１と異なり、耳掛け穴が設けられていないので、利用者の鼻をカバーすることは難しいが、両頬、口、及び首まで切れ目無く同時にカバーしている。保温着のジャージー製漏斗状体２０はゆったりした筒回りサイズであるため、その前側部分が自重で利用者に覆い被さってくるからである。
【００４５】
ところで、利用者が寝返りなどで動いても、ジャージー製漏斗状体２０が所定着用位置から外れることはない。ジャージー製漏斗状体２０の後側部分は、利用者が仰向けに寝ている場合には利用者の後頭部で、利用者が横向きに寝ている場合には利用者の側頭部でそれぞれ枕６に押さえつけられているからである。一方、ジャージー製漏斗状体２０の前側部分は部分的に弛むが、その前側の上端部は利用者の口と顎の間辺りの位置までしか移動しないからである。
【００４６】
即ち、利用者が寝返りなどで動くと、その下側開口端部２０ｃが保温着本体１０の衿ぐり部１２が縫い付けられているジャージー製漏斗状体２０の前側部分は利用者の肩側方向に移動するが、最大限弛んでもその前側の上端部は利用者の口と顎の間辺りの位置までしか移動しない。ジャージー製漏斗状体２０の下半分は最小筒周りの筒状部であるが、その筒周りは利用者の頭周りと同程度のサイズ、例えば５８ｃｍである。これに対して、カバーされる利用者の首周りは、例えば３５ｃｍである。この筒周りと首周りの間には２３ｃｍの大きな差が存在するために、利用者がベッドに仰向けに寝ると、図６に示す如く、ジャージー製漏斗状体２０の前側の下半分は利用者の首の上で二つ乃至四つ程度の大きな皺を形成する。他方、ジャージー製漏斗状体２０の上半分は最大筒周りと最小筒周りの間の筒周りサイズであり、その前側は利用者の顔に柔らかく当接し、当接箇所で皺になったり弛んだりすることはない。これが、ジャージー製漏斗状体２０は、最大限弛んでも、その前側の上端部は利用者の口と顎の間辺りの位置までしか移動しない理由である。もう一つの理由は、ゆったりサイズのジャージー製漏斗状体２０が弛み難いものであるからである。
【００４７】
ゆったりサイズのジャージー製漏斗状体２０が弛み難いのは、基本的には、ジャージー製漏斗状体２０を綿ジャージー生地の高い伸縮方向を縦にし、且つ二重にして製作したことである。上側開口端部２０ａを最大筒回りとし、首側方向に徐々に筒周りを小さくした漏斗状体としたことも、ゆったりサイズのジャージー製漏斗状体２０を弛み難くしていると考えられる。更に、前側衿部材２１と後側衿部材２２の左右の端部を重ねて縫い合わせした部分、即ち衿部材縫合部２０ｂ，２０ｂはジャージー製漏斗状体２０の縦方向の芯として機能し、ジャージー製漏斗状体２０が更に弛み難くしていると考えられる。ジャージー製漏斗状体２０の衿部材縫合部２０ｂ，２０ｂは、綿ジャージー生地が四重になった厚い縦長の縫い目であり、保温着の着用時に利用者の両耳の後辺りに位置するからである。
【００４８】
上述の如く、実施例２の保温着のジャージー製漏斗状体２０は、就寝中に弛んでも、ジャージー製漏斗状体２０の前側の上端部が利用者の口と顎の間辺りまでしか移動しない。即ち、最大限弛んだ状態でも、ジャージー製漏斗状体２０はその前側部分が利用者の首と顎を切れ目無く同時にカバーしている。従って、実施例２の保温着においては、ジャージー製漏斗状体２０は最大限弛んでも所定着用位置に確実に保持される。
【００４９】
（保温着の着用感）
実施例２の保温着は、体のどの部位にも圧迫感を与えない形状とサイズであるので、実施例１と同様に、利用者２に快適な着用感を与えるものである。即ち、利用者がベッドや布団に寝ているときには、ジャージー製漏斗状体２０の前側部分は自重によって顔と首にふんわりと覆い被さるから、利用者の顔と首を圧迫することはない。このため、試着者の殆どが、やや厚手の柔らかい布でふんわり包まれたような暖かさ、安堵感を感じている。
【００５０】
（風邪予防効果）
実施例２の保温着については、風邪予防効果を確認するための着用テストは行っていない。しかしながら、実施例２の保温着は、実施例１の保温着と基本的には同じ構造であるから、風邪予防効果を奏することは明らかである。なお、フェイスマスクとしては鼻と口を同時にカバーすることはできないが、口はカバーできる。従って、自分の温かい湿った呼気の一部がジャージー製漏斗状体２０の中に入り込むことになる。
【００５１】
（睡眠改善効果）
実施例２の保温着を着用して就寝すると、明らかに睡眠改善効果が認められた。実施例２の保温着の着用状態は、耳掛け穴を耳から外して実施例１の保温着を着用した状態と同じであるからである。
【図面の簡単な説明】
【００５２】
【図１】実施例１の保温着の正面図である。
【図２】実施例１の保温着の背面図である。
【図３】実施例２の保温着の正面図である。
【図４】実施例２の保温着の背面図である。
【図５】実施例１の保温着を着用し、ベッドに仰向けに寝ているときの利用者を真横から見た斜視図である。
【図６】実施例２の保温着を着用し、ベッドに仰向けに寝ているときの利用者を真横から見た斜視図である。
【符号の説明】
【００５３】
１  保温着
２  利用者
３  耳
５  ベッド
６  枕
１０  保温着本体
１１  本体部
１２  衿ぐり部
１３  袖ぐり部
１４  肩カバー部
２０  ジャージー製漏斗状体
２０ａ  上側開口端部
２０ｂ  衿部材縫合部
２０ｃ  下側開口端部
２１  前側衿部材
２２  後側衿部材
２３  耳掛け穴
２３ａ  緩衝部
【要約】      （修正有）【課題】ゆったりサイズのジャージー製タートルネック部を丸首の保温着本体に縫合した保温着において、前記ジャージー製タートルネック部を就寝中に所定着用位置に確実に保持すること。【解決手段】保温着は、利用者の肩から耳付近までの長さで、その最大筒周りが利用者の頭周りより１割から２割程度大きく且つその最小筒周りが利用者の頭周りと同程度のサイズのジャージー製漏斗状体２０が丸首の綿ジャージー製保温着本体１０に縫合されている。ジャージー製漏斗状体２０は、高い伸縮方向を縦に且つ二重にした綿ジャージー生地の前側衿部材２１と後側衿部材の２つの布部材を縫合して形成されている。ジャージー製漏斗状体２０の上端部には一対の耳掛け穴２３，２３が設けられている。【選択図】図１【図１】
0004187784.tif 000003
【図２】
0004187784.tif 000004
【図３】
0004187784.tif 000005
【図４】
0004187784.tif 000006
【図５】
0004187784.tif 000007
【図６】
0004187784.tif 000008